(57)【要約】【課題】長期にわたって光学部品の接着特性を維持安定させ、光学部品の変位を防止することができ、かつ光学部品を通る所望の光ビームが遮られることが無い光学部品固定構造を提供することを目的とする。【解決手段】光路中に配設される光学部品１と、光学部品１を保持する保持部材２と、を備え、保持部材２は、光学部品１の設置面よりも狭い座面を有する第一の突起２−ａと、第一の突起２−ａに接着剤３により固定された光学部品1を囲むように設けられる第二の突起２−ｂと、第一の突起２−ａと第二の突起２−ｂの間に設けられる溝２−ｃと、が形成され、溝２−ｃに、接着剤３と保持部材２と光学部品１の露出部分の一部を密封するように被覆材４が設置され、光学部品１を通る所望の光ビームが被覆材４や第二の突起２−ｂによって遮られることが無い構造を有することを特徴とする光学部品固定構造である。【選択図】図３
2011141918.tif 000002
【特許請求の範囲】
【請求項１】
光路中に配設される光学部品と、
前記光学部品を保持する保持部材と、
を備え、
前記保持部材は、
前記光学部品の設置面よりも狭い座面を有し、当該座面に当該光学部品が接着剤により接着固定される第一の突起と、
前記第一の突起に接着固定された前記光学部品を囲むように設けられる第二の突起と、
前記第一の突起と第二の突起の間に設けられる溝と、
が形成され、
前記溝には、前記光学部品の露出部分の一部、前記接着剤、及び、前記保持部材を密封するよう被覆材が設置される、
光学部品固定構造。
【請求項２】
前記第二の突起は、被覆材を設置するための凹部が形成される、請求項１に記載の光学部品固定構造。
【請求項３】
前記第一の突起は、凹部が形成されている、請求項１又は２に記載の光学部品固定構造。
【請求項４】
前記第一の突起は、貫通穴が形成されている、請求項１又は２に記載の光学部品固定構造。
【請求項５】
前記貫通穴には、被覆材が設置される、請求項４に記載の光学部品固定構造。
【発明の詳細な説明】
【技術分野】
【０００１】
本発明は、光学部品を固定するための光学部品固定構造に関する。例えば、光ディスクドライブ、光磁気ディスクドライブに適用される光ピックアップにおける光学部品固定構造に関する。
【背景技術】
【０００２】
光ピックアップを構成する光学部品は、平滑な接着面が形成された保持部材に接着剤を使用して固定されて、記録又は再生用の光ビームの光路中に配設されている。また、前記光学部品の設置に当り、例えば、温度−４０℃〜＋８５℃、湿度９０％といった車中や車載用途で考えられる過酷な環境下に置いても数μｍ単位の微少変位も許容できない位置決め精度が必要とされている。
【０００３】
しかし、光学部品を保持部材に固定する接着剤は、環境の変化により、例えば、前述のような温度や湿度状態になることにより影響を受けたり、微細な塵埃の影響を受けたり、あるいは自体の経時劣化などによって、接着強度の低下や接着剤の内部応力に変化が生じてしまう。このため、固定状態にも変化が生じ、固定された光学部品に微少な位置ずれを生じさせてしまう課題があった。
【０００４】
この課題を解決するため、接着剤層を被覆材で覆って外部と遮断することにより、接着剤層が外部の影響を受けなくなり、固定された光学部品の変位を長期間防止することが可能になる構造が提案されている（例えば、特許文献１参照）。
【先行技術文献】
【特許文献】
【０００５】
【特許文献１】特開平５−２１０８５１号公報
【発明の概要】
【発明が解決しようとする課題】
【０００６】
しかし、特許文献１のような保持部材構造では、接着剤層を被覆材で被覆する前に、光学部品を接着する保持部材面が光学部品よりも大きいため、光学部品を通る光ビームの角度調整をした際、接着剤が保持部材にはみ出してしまう問題がある。
【０００７】
また、そのはみ出し量も、数千台生産してすべて同じというわけにいかないから、被覆剤で接着剤層を被覆するといっても、はみ出した接着剤も被覆する必要があるため、被覆材の大きさや形にばらつきが生じ、安定したものづくりができないといった問題がある。
【０００８】
その上、もし接着剤層を被覆材で被覆して外部の影響から守ったとしても、接着剤層のみ被覆したのでは光学部品の変位を防止することができない。なぜなら、光学部品の変位がおこる原因は、接着剤層だけで無く、接着剤層と光学部品の界面、接着剤層と保持部材の界面、そして接着剤層といったすべてを考える必要があり、被覆材で被覆する箇所は接着剤層だけではなく、界面剥離を防止する箇所も被覆する必要があるからである。
【０００９】
以上のことを実現するためには、保持部材の構造が非常に重要になってくるが、特許文献１は、全くそのことには言及していない。ただ、被覆材で接着剤層のみを被覆することに着眼しているだけで、これは技術的にごく当たり前のことしか言っていない。また被覆材の配置においても、所望の光ビームが遮られないようにしなくてはいけないが、そのことについても特許文献１では全く言及していない。
【００１０】
そこで本発明は、温度又は湿度が高いといった劣悪環境で長期間使用された場合であっても、保持部材（例：光学ベース）に設置される光学部品の保持部材に対する変位をより軽減することのできる光学部品固定構造を提供することを目的とする。
【００１１】
なお、本発明では、上記目的に加えて、以下の目的を達成するような光学部品固定構造を提供する。第２の目的は、長期にわたって光学部品の接着特性を安定させることである。第３の目的は、光学部品を通る所望の光ビームが遮られることを防止することである。
【課題を解決するための手段】
【００１２】
本発明は、光路中に配設される光学部品と、前記光学部品を保持する保持部材と、を備える。そして前記保持部材は、前記光学部品の設置面よりも狭い座面を有し、当該座面に当該光学部品が接着剤により接着固定される第一の突起と、前記第一の突起に接着固定された前記光学部品を囲むように設けられる第二の突起と、前記第一の突起と第二の突起の間に設けられる溝と、が形成される。そして、前記溝には、前記光学部品の露出部分の一部、前記接着剤、及び、前記保持部材を密封するよう被覆材が設置される。
【発明の効果】
【００１３】
本発明によれば、温度又は湿度が高いといった劣悪環境で長期間使用された場合であっても、保持部材（例：光学ベース）に設置される光学部品の保持部材に対する変位を軽減できる。
【図面の簡単な説明】
【００１４】
【図１】本実施の形態１に係る光学部品固定構造（（a）保持部材構造、（ｂ）光学部品固定時構造）の斜視図
【図２】本実施の形態１に係る光学部品固定構造（（a）保持部材構造、（ｂ）光学部品固定時構造）の斜視図
【図３】本実施の形態１に係る光学部品固定構造（（a）保持部材構造、（ｂ）光学部品固定時構造）の断面図
【図４】本実施の形態２に係る光学部品固定構造（（a）保持部材構造、（ｂ）光学部品固定時構造）の斜視図
【図５】本実施の形態２に係る光学部品固定構造（（a）保持部材構造、（ｂ）光学部品固定時構造）の斜視図
【図６】本実施の形態２に係る光学部品固定構造（（a）保持部材構造、（ｂ）光学部品固定時構造）の断面図
【図７】本実施の形態３に係る光学部品固定構造（保持部材構造）の斜視図
【図８】本実施の形態３に係る光学部品固定構造（保持部材構造）の斜視図
【図９】本実施の形態３に係る光学部品固定構造（（a）保持部材構造、（ｂ）光学部品固定時構造）の断面図
【図１０】本実施の形態３に係る光学部品固定構造（保持部材構造）の斜視図
【図１１】本実施の形態３に係る光学部品固定構造（保持部材構造）の斜視図
【図１２】本実施の形態３に係る光学部品固定構造（（a）保持部材構造、（ｂ）光学部品固定時構造）の断面図
【図１３】本実施の形態４に係る光学部品固定構造（保持部材構造）の斜視図
【図１４】本実施の形態４に係る光学部品固定構造（保持部材構造）の斜視図
【図１５】本実施の形態４に係る光学部品固定構造（（a）保持部材構造、（ｂ）光学部品固定時構造）の断面図
【図１６】本実施の形態４に係る光学部品固定構造（保持部材構造）の斜視図
【図１７】本実施の形態４に係る光学部品固定構造（保持部材構造）の斜視図
【図１８】本実施の形態４に係る光学部品固定構造（（a）保持部材構造、（ｂ）光学部品固定時構造）の断面図
【図１９】本実施の形態５に係る光学部品固定構造（保持部材構造）の斜視図
【図２０】本実施の形態５に係る光学部品固定構造（保持部材構造）の斜視図
【図２１】本実施の形態５に係る光学部品固定構造（（a）保持部材構造、（ｂ）光学部品固定時構造）の断面図
【図２２】従来の光学部品固定構造の断面図
【発明を実施するための形態】
【００１５】
本実施の形態の光学部品固定構造について、図面を参照しながら説明する。なお、以下では、従来構造の課題を説明した後、本実施の形態を説明する。
（従来構造の課題）
図２２は、従来構造を説明するための図である。図２２の従来構造では、保持部材２が光学部品１よりも大きい。そのため、従来構造では、光学部品１を通る光ビームの角度調整が難しいという課題がある。
【００１６】
また、従来構造は、接着剤３が光学部品１の側面や保持部材２にはみ出してしまう可能性がある。ここで、特許文献１では、光学部品１の変位を防止するため、被覆材４で接着材３の外周を被覆するようにしている。しかしながら、接着剤３のはみ出し量のバラツキが生じるため、その都度被覆材４の被覆量を調整する必要が発生する。つまり、被覆材４の大きさや形にバラツキが発生し、安定したものづくりができないという課題がある。
（実施の形態１）
図１、図２は、本発明の実施の形態１の光学部品固定構造の3次元図の一例で、図３は、本実施の形態１の光学部品固定構造の断面図の一例である。
【００１７】
図１〜図３の１は、例えば光ピックアップを構成する光学部品の一つ、ビームスプリッタである。２は保持部材である。２は、図１〜図３に示すように、第一の突起２−ａと、第二の突起２−ｂと、第一の突起２−ａと第二の突起２−ｂの間に設けられる溝２−ｃと、を有する。
【００１８】
光学部品１は、第一の突起２−ａと接着剤３で固定される。光学部品１は、記録又は再生用の光ビーム(図示せず)を光路中に配設する役目がある。また、第一の突起２−ａは、光学部品１の設置面よりも狭い座面を有してなる。これによって、光学部品１を通る光ビームの角度調整を容易にできる。
【００１９】
また、本実施の形態では、光学部品１を通る光ビームの角度調整の際に、はみ出す可能性のある接着剤３も、第一の突起２−ａが光学部品１の設置面よりも狭い座面で構成する。このため、光学部品１の側面にはみ出す事無く、溝２−ｃに垂れ落ちる構造になっている。
【００２０】
さらに被覆材４の設置に関しても、従来例では、接着剤３の層の外部に対する露出部分しか被覆されていなかったが、本実施の形態では被覆材４を溝２−ｃに設置する。これにより、溝２−ｃに垂れ落ちた接着剤３も含めて、ものづくりとして安定した形で接着剤３の外部に対する露出部分を被覆することができる。さらに光学部品１の一部、保持部材２の一部もあわせて被覆することにより、接着剤３の層が影響を受けなくなるだけで無く、接着剤３の層と光学部品１の界面、接着剤３の層と保持部材２の界面も影響を受けなくなる。このため、従来例では言及していなかった界面剥離も同時に防止することが可能になる。
【００２１】
このことにより、微細な埃や空気中の水分等の影響による経年変化や、温度−４０℃〜＋８５℃、湿度９０％といった車中や車載用途で考えられる高温高湿のような過酷な環境下等に対しても、長期間に渡って光学部品１の変位を防止することが可能になる。
【００２２】
また、第二の突起２−ｂの高さを調節し、光学部品１を通る所望の光ビームが、その高さで絶対に遮られることが無く、かつ前述した界面剥離や外部影響を防止するための被覆材４を設置する時の高さ方向の目安にしておけば、被覆材４の設置方法により、ものづくり上ばらつく事無く、所望の光ビームを遮られず、かつ界面剥離や外部影響も同時に防止することが可能になる。
【００２３】
接着剤３としては、例えば、紫外線硬化型接着剤，エポキシ系接着剤が使用できる。 
【００２４】
また、前記被覆材４としては、高温高湿状態でも吸水しにくいものや、光学部品１や保持部材２や接着材３の応力分布に影響を与えることが少ないものが良く、例えば、フッ素樹脂，アルキド樹脂，セルロース誘導体，エポキシ樹脂，エポキシ変性樹脂，アミノ樹脂，ビニル樹脂，メラミン樹脂，ポリエチレン樹脂，ブチラール樹脂，ウレタン樹脂，シリコン樹脂，ポリエステル樹脂，アクリル樹脂などの樹脂材料のほか、耐水性や耐候性に優れた樹脂材料、および上記の樹脂材料と同様の効果を得ることができる、例えば紫外線硬化型接着剤も使用することができる。
また、本実施の形態の光学部品固定構造は、光ピックアップの光学部品固定だけに限らず、光学部品を有するあらゆるものにおいて有用である。
（実施の形態２）
図４、図５は、本実施の形態２の光学部品固定構造の3次元図の一例で、図６は、本実施の形態２の光学部品固定構造の断面図の一例である。
【００２５】
本実施の形態２では、前記実施の形態１の保持部材２の第二の突起２−ｂに、溝２−ｃに向かって傾斜している被覆材設置用凹部５を設けた構造となっている。このことにより、例えば、被覆材４が耐水性に優れ流動性の高い接着剤である場合、被覆材設置用凹部５から被覆材４を針等で注入することにより、被覆材４を簡単に設置することができ、被覆材設置用凹部５が無い場合と比べ、ものづくりの作業効率が良くなる。また、図４、５では、被覆材設置用凹部５を４箇所としたが、作業性によりさらに多くしても良いし、少なくしても良い。
【００２６】
その他の効果は、実施の形態１と同様であり、光学部品１の変位を長期間に渡って防止することができ、かつ光学部品を通る所望の光ビームが遮られることが無い光学部品固定構造を実現できる。
（実施の形態３）
図７、図８、図１０、図１１は、本実施の形態３の光学部品固定構造の３次元図の一例で、図９、図１２は、本実施の形態３の光学部品固定構造の断面図の一例である。
本実施の形態３の図７〜図９は、実施の形態１の第一の突起２−ａに凹部６を設けた構造となっている。また、本実施の形態３の図１０〜図１２は実施の形態２の第一の突起２−ａに凹部６を設けた構造となっている。このことにより光学部品１を通る光ビームの角度調整の際に、はみ出す可能性のある接着剤３が溝２−ｃだけで無く、もう一方の凹部６に分散され、光学部品１と第一の突起２−ａとの間の接着剤３の層をより均一にすることができ、内部応力もより均衡のとれた状態となる。また図７〜図１２で凹部６を１箇所としたが、ものによっては、数箇所設ける方がいい場合もある。
【００２７】
また、その他の効果は、実施の形態１および２と同様であり、光学部品１の変位を長期間に渡って防止することができ、かつ光学部品を通る所望の光ビームが遮られることが無い光学部品固定構造を実現できる。
（実施の形態４）
図１３、図１４、図１６、図１７は、本実施の形態４の光学部品固定構造の３次元図の一例で、図１５、図１８は、本実施の形態４の光学部品固定構造の断面図の一例である。
本実施の形態４の図１３〜図１５は実施の形態１の第一の突起２−ａに貫通穴６を設けた構造となっている。本実施の形態４の図１６〜１８は実施の形態２の第一の突起２−ａに貫通穴６を設けた構造となっている。このことにより光学部品１を通る光ビームの角度調整の際に、はみ出す可能性のある接着剤３が溝２−ｃだけで無く、もう一方の貫通穴７に分散され、光学部品１と第一の突起２−ａとの間の接着剤３の層をより均一にすることができ、内部応力もより均衡のとれた状態となる。また図１３〜図１８で貫通穴７を１箇所としたが、ものによっては、数箇所設ける方がいい場合もある。またこの貫通穴は、光学部品１の固定強度を測定する際にも役立つ。
【００２８】
また、その他の効果は、前記実施の形態１および２と同様であり、光学部品１の変位を長期間に渡って防止することができ、かつ光学部品を通る所望の光ビームが遮られることが無い光学部品固定構造を実現できる。
（実施の形態５）
図１９、図２０は、本実施の形態５の光学部品固定構造の３次元図の一例で、図２１は、本実施の形態５の光学部品固定構造の断面図の一例である。
【００２９】
本実施の形態５は、図１３〜図１８の実施の形態４の貫通穴７に被覆材を設置したものであり、微細な埃や空気中の水分等の影響による経年変化や、温度−４０℃〜＋８５℃、湿度９０％といった車中や車載用途で考えられる高温高湿のような過酷な環境下等で万が一貫通穴７から空気や水分等が浸透し接着剤３の層や界面剥離を増長させる作用がおこりうる場合に効果を発揮する。そのことにより光学部品１の変位を長期間に渡って防止することができ、かつ光学部品を通る所望の光ビームが遮られることが無い光学部品固定構造を実現できる。
【００３０】
ただ、光学部品固定構造の設置場所によっては、貫通穴７が数箇所ある場合、数箇所中の何箇所かだけを被覆することにより光学部品１の変位を長期間防止できる場合もあるため、すべての貫通穴を被覆材４で被覆する必要が無い場合もある。
（他の実施の形態）
本実施の形態として、実施の形態１を例示した。しかし、本発明はこれには限らない。そこで、本発明の他の実施の形態を以下まとめて説明する。なお、本発明は、これらには限定されず、適宜修正された実施の形態に対しても適用可能である。
【産業上の利用可能性】
【００３１】
本発明に係る光学部品固定構造は、光学部品を有する光ピックアップ等に適用することが可能である。
【符号の説明】
【００３２】
１    光学部品
２    保持部材
２−ａ    第一の突起
２−ｂ    第二の突起
２−ｃ    溝
３    接着剤
４    被覆材
５    被覆材設置用凹部
６    凹部
７    貫通穴
【図１】
2011141918.tif 000003
【図２】
2011141918.tif 000004
【図３】
2011141918.tif 000005
【図４】
2011141918.tif 000006
【図５】
2011141918.tif 000007
【図６】
2011141918.tif 000008
【図７】
2011141918.tif 000009
【図８】
2011141918.tif 000010
【図９】
2011141918.tif 000011
【図１０】
2011141918.tif 000012
【図１１】
2011141918.tif 000013
【図１２】
2011141918.tif 000014
【図１３】
2011141918.tif 000015
【図１４】
2011141918.tif 000016
【図１５】
2011141918.tif 000017
【図１６】
2011141918.tif 000018
【図１７】
2011141918.tif 000019
【図１８】
2011141918.tif 000020
【図１９】
2011141918.tif 000021
【図２０】
2011141918.tif 000022
【図２１】
2011141918.tif 000023
【図２２】
2011141918.tif 000024